(57)【要約】【課題】仮設パネル間の隙間をなくして工事現場内を見えなくするとともに、仮設パネルの建て付け寸法に余裕を持たせて、多少の幅調節を可能にすることができる仮設パネルを提供すること。【解決手段】合成樹脂板１の両端部１１を略直角に折り曲げ形成するとともに、折り曲げた合成樹脂板１の両端部１１の内面に沿ってフック状の端部２２、３２を備えた補強・固定用部材２、３を配設した仮設パネルにおいて、補強・固定用部材２、３のうち一方側の補強・固定用部材２を、合成樹脂板１の背面側において合成樹脂板１の端縁より内方に入り込む凹部２１を備えた形状に形成し、他方側の補強・固定用部材３を、合成樹脂板１の背面側において合成樹脂板１の端縁より外方に突出し、前記一方側の補強・固定用部材２の凹部２１と嵌合する凸部３１を備えた形状に形成する。【選択図】図１
2005068801.tif 000002
【特許請求の範囲】
【請求項１】
合成樹脂板の両端部を略直角に折り曲げ形成するとともに、該折り曲げた合成樹脂板の両端部の内面に沿ってフック状の端部を備えた補強・固定用部材を配設した仮設パネルにおいて、前記補強・固定用部材のうち一方側の補強・固定用部材を、合成樹脂板の背面側において合成樹脂板の端縁より内方に入り込む凹部を備えた形状に形成し、他方側の補強・固定用部材を、合成樹脂板の背面側において合成樹脂板の端縁より外方に突出し、前記一方側の補強・固定用部材の凹部と嵌合する凸部を備えた形状に形成したことを特徴とする仮設パネル。
【発明の詳細な説明】
【技術分野】
【０００１】
本発明は、工事現場等の周囲を囲ったり、区画するために用いられる合成樹脂製の仮設パネルに関し、特に、仮設パネル間の隙間をなくして工事現場内を見えなくするとともに、仮設パネルの建て付け寸法に余裕を持たせて、多少の幅調節を可能にすることができる仮設パネルに関するものである。
【背景技術】
【０００２】
工事現場等の周囲を囲ったり、区画するために用いられる仮設パネルとして、鋼板を使用したものが汎用されている。
ところで、鋼板を使用した仮設パネルは、安価で、かつ耐久性を有するものの、画一的で、周囲の環境にそぐわず、また、光を通さないため工事現場内が暗くなったり、閉鎖的な印象を与えるという問題があった。
【０００３】
これに対処するため、本件出願人は、先に、ポリカーボネート樹脂等の透光性を有する合成樹脂板を用いた仮設パネルを提案している（例えば、特許文献１参照）。
この仮設パネルは、合成樹脂板の両端部を断面コ字形に形成して係合端部となし、この係合端部の内面に沿って断面コ字形となし、かつ端部を略直角に起立して係止片を形成した金属製の補強部材を固定している。
この仮設パネルは、工事現場内を明るくするとともに、合成樹脂板の係合端部に金属製の補強部材を配設することにより、仮設パネルをパイプ部材に強固に固定し、さらに仮設パネルを軽量化している。
【０００４】
【特許文献１】特開平１０−２９９２５８号公報
【０００５】
ところで、上記従来の仮設パネルは、隣接する仮設パネルとの突き合わせ面が平坦であることから、隣接する仮設パネルの間に隙間が生じやすく、きちんと建て付けを行わなければ、この隙間から工事現場の内部が見えるという問題があった。
【発明の開示】
【発明が解決しようとする課題】
【０００６】
本発明は、上記従来の仮設パネルが有する問題点に鑑み、仮設パネル間の隙間をなくして工事現場内を見えなくするとともに、仮設パネルの建て付け寸法に余裕を持たせて、多少の幅調節を可能にすることができる仮設パネルを提供することを目的とする。
【課題を解決するための手段】
【０００７】
上記目的を達成するため、本発明の仮設パネルは、合成樹脂板の両端部を略直角に折り曲げ形成するとともに、該折り曲げた合成樹脂板の両端部の内面に沿ってフック状の端部を備えた補強・固定用部材を配設した仮設パネルにおいて、前記補強・固定用部材のうち一方側の補強・固定用部材を、合成樹脂板の背面側において合成樹脂板の端縁より内方に入り込む凹部を備えた形状に形成し、他方側の補強・固定用部材を、合成樹脂板の背面側において合成樹脂板の端縁より外方に突出し、前記一方側の補強・固定用部材の凹部と嵌合する凸部を備えた形状に形成したことを特徴とする。
【発明の効果】
【０００８】
本発明の仮設パネルによれば、合成樹脂板の両端部を略直角に折り曲げ形成するとともに、該折り曲げた合成樹脂板の両端部の内面に沿ってフック状の端部を備えた補強・固定用部材を配設した仮設パネルにおいて、前記補強・固定用部材のうち一方側の補強・固定用部材を、合成樹脂板の背面側において合成樹脂板の端縁より内方に入り込む凹部を備えた形状に形成し、他方側の補強・固定用部材を、合成樹脂板の背面側において合成樹脂板の端縁より外方に突出し、前記一方側の補強・固定用部材の凹部と嵌合する凸部を備えた形状に形成することから、仮設パネルの左右端部に、それぞれ隣接する仮設パネルと前後に重なり合うように嵌合する段部を形成することができ、これにより、仮設パネル間の隙間をなくして工事現場内を見えなくするとともに、仮設パネルの建て付け寸法に余裕を持たせて、多少の幅調節を可能にすることができる。
【発明を実施するための最良の形態】
【０００９】
以下、本発明の仮設パネルの実施の形態を、図面に基づいて説明する。
【実施例１】
【００１０】
図１〜図３に、本発明の仮設パネルの一実施例を示す。
この仮設パネルは、合成樹脂板１の両端部１１を略直角に折り曲げ形成するとともに、該折り曲げた合成樹脂板の両端部１１の内面に沿ってフック状の端部２２、３２を備えた補強・固定用部材２、３を配設している。
そして、この仮設パネルは、前記補強・固定用部材のうち一方側の補強・固定用部材２を、合成樹脂板１の背面側において合成樹脂板１の端縁より内方に入り込む凹部２１を備えた形状に形成するとともに、他方側の補強・固定用部材３を、合成樹脂板１の背面側において合成樹脂板１の端縁より外方に突出し、前記一方側の補強・固定用部材２の凹部２１と嵌合する凸部３１を備えた形状に形成している。
【００１１】
合成樹脂板１は、透光性を有するポリカーボネート樹脂等を使用し、その両端部１１は、裏側に曲げ加工して断面Ｌ字形に形成されている。
なお、合成樹脂板１には、このほか、半透明や不透明、表面にカラフルな色彩や意匠を施した合成樹脂板、上部に透光性を持たせ、マット地やフィルムを貼着する等により下部を半透明にした合成樹脂板等、任意の合成樹脂板を使用することができ、これにより多様な仮設パネルとすることもできる。
【００１２】
補強・固定用部材２、３はアルミ等の押し出し成型品からなり、合成樹脂板１の両端部１１の内面にリベット等により固定されている。
図１〜図２に示すように、一方側の補強・固定用部材２は、図示右側の合成樹脂板１の背面側において、合成樹脂板１の端縁より内方に入り込む凹部２１を備えた形状に曲げ加工されるとともに、先端側に係止片２３を有するフック状端部２２が曲げ加工されている。
また、他方側の補強・固定用部材３は、図示左側の合成樹脂板１の背面側において、合成樹脂板１の端縁より外方に突出し、かつ前記一方側の補強・固定用部材２の凹部２１と嵌合する凸部３１を備えた形状に曲げ加工されるとともに、先端側に係止片３３を有するフック状端部３２が曲げ加工されている。
これら左右の補強・固定用部材２、３は、凹部２１と凸部３２が前後方向で互い違いに形成され、隣接する仮設パネルを突き合わせた際に、これらの凹部２１と凸部３２が前後に重なり合うように嵌合する。
【００１３】
一方、図３に示すように、仮設パネルをパイプ部材６に取り付けるには、補強・固定用部材２、３の係止片２３、３３の先端を、略Ｕ字形に形成した取付具４の両端部の切欠部４１に形成した係止溝４２に嵌入した状態で、取付具４の抱持部４０に螺合し、先端をパイプ部材６の表面に当接させたボルト５を締め付けることにより、補強・固定用部材２、３を介してパイプ部材６に仮設パネルを緊締することによりなされる。
【００１４】
また、この取付具４は、図４に示すように、鉄板等の金属板にプレス加工を施すことにより製作され、パイプ部材６を抱持する略Ｕ字形に形成した抱持部４０の両端部に、合成樹脂板１の両端部１１の補強・固定用部材２、３を挿入する切欠部４１及びこの切欠部４１に続く係止溝４２を形成し、さらに、抱持部４０には、補強のためのリブ４４と、ボルト５を螺合するためのねじ孔４５を形成するようにしている。
【００１５】
かくして、本実施例の仮設パネルは、合成樹脂板１の両端部１１を略直角に折り曲げ形成するとともに、該折り曲げた合成樹脂板の両端部１１の内面に沿ってフック状の端部２２、３２を備えた補強・固定用部材２、３を配設した仮設パネルにおいて、前記補強・固定用部材のうち一方側の補強・固定用部材２を、合成樹脂板１の背面側において合成樹脂板１の端縁より内方に入り込む凹部２１を備えた形状に形成するとともに、他方側の補強・固定用部材３を、合成樹脂板１の背面側において合成樹脂板１の端縁より外方に突出し、前記一方側の補強・固定用部材２の凹部２１と嵌合する凸部３１を備えた形状に形成することから、図３に示すように、仮設パネルの左右端部に、それぞれ隣接する仮設パネルと前後に重なり合うように嵌合する段部を形成することができ、これにより、仮設パネル間の隙間をなくして工事現場内を見えなくするとともに、仮設パネルの建て付け寸法に余裕を持たせて、多少の幅調節を可能にすることができる。
また、この仮設パネルは、補強・固定用部材２、３が合成樹脂板１の両端部１１の内面に沿って固定されているため、合成樹脂板１の両端部１１全体が剛性を有する補強・固定用部材２、３と一体となってパイプ部材６に固定され、このため、補強・固定用部材２、３が配設されていない左右方向部分の仮設パネルに曲げモーメントが発生せず、剛性が低い合成樹脂板１を用いた仮設パネルを、パイプ部材６に撓みを生じることなく取り付けることができ、これにより、仮設パネルの合成樹脂板１が変形、破損したり、透明な合成樹脂板１を用いた場合に、合成樹脂板１を通しての視界に違和感が生じることを確実に防止することができる。
【００１６】
以上、本発明の仮設パネルについて、その実施例に基づいて説明したが、本発明は上記実施例に記載した構成に限定されるものではなく、例えば、鋼板製等の他の種類の仮設パネルと組み合わせて用いることも可能であり、その趣旨を逸脱しない範囲において適宜その構成を変更することができるものである。
【産業上の利用可能性】
【００１７】
以上、本発明の仮設パネルは、仮設パネル間の隙間をなくして内部を見えなくするとともに、仮設パネルの建て付け寸法に余裕を持たせて、多少の幅調節を可能にするという特性を有していることから、同種のものを複数組み合わせたり、あるいは、鋼板製等の他の種類の仮設パネルと組み合わせることによって、工事現場の仮設パネルとして好適に用いることができるほか、例えば、その他の間仕切りパネルとしても用いることができる。
【図面の簡単な説明】
【００１８】
【図１】本発明の仮設パネルの一実施例を示し、（ａ）は（ｂ）のＡ−Ａ線矢視図（平面図、）（ｂ）は仮設パネルを横にした正面図である。
【図２】同実施例の仮設パネルを示し、（ａ）は左右の両端部付近を示す部分平面図、（ｂ）は左の補強・固定用部材の平面図、（ｃ）は右の補強・固定用部材の平面図である。
【図３】同仮設パネルの取付構造を示す平面図である。
【図４】同仮設パネルに使用する取付具の外観斜視図である。
【符号の説明】
【００１９】
１    合成樹脂板
１１  端部
２    補強・固定用部材
２１  凹部
２２  フック状端部
２３  係止片
３    補強・固定用部材
３１  凸部
３２  フック状端部
３３  係止片
４    取付具
４０  抱持部
４１  切欠部
４２  係止溝
４３  起立片
５    ボルト
６    パイプ部材
【図１】
2005068801.tif 000003
【図２】
2005068801.tif 000004
【図３】
2005068801.tif 000005
【図４】
2005068801.tif 000006